(57)【要約】【課題】  優れた遮光性を持ち、しかも小型のレンズ鏡胴を備えたカメラを提供すること。【解決手段】  回転筒３１２の後端部に、カム溝３１２２に通じる、カムピン３１０１を誘い入れる導入溝３１２２ａを設ける。後群レンズを保持するレンズ枠３１１を前方に付勢するバネ部材３０１を鏡胴基端部に設ける。沈胴時には前群によりこのバネが押されてバネ力がチャージされ、繰出し時にそのバネ力が反発力となってレンズ枠３１１が前方に付勢されレンズ枠３１１が導入口側に押される。カムピン３１１３が導入口３１２２ａから入り込みカム溝３１２２に係合する。【選択図】  図８
2005250293.tif 000002
【特許請求の範囲】
【請求項１】
複数のレンズ群で構成された撮影レンズを保持した、繰出し、沈胴自在なレンズ鏡胴を備え、該撮影レンズを経由して入射してきた被写体光を捉えることにより撮影を行なうカメラにおいて、
前記レンズ鏡胴は、
前記複数のレンズ群のうちの所定のレンズ群を光軸方向に移動させる、後端にまで延びたカム溝が設けられ駆動力を受けて回転する回転筒と、
前記所定のレンズ群を保持し前記カム溝に嵌入するカムピンを備えて前記回転筒の回転に応じて該所定のレンズ群を光軸方向に移動させるとともに、沈胴時に前記回転筒から後方に抜けるレンズ枠と、
沈胴時に前記レンズ枠に押されて該レンズ群を前方に付勢し繰出時に該レンズ群を押して該レンズ枠のカムピンを前記カム溝に嵌入させるバネ部材とを備えたことを特徴とするカメラ。
【請求項２】
前記回転筒が、該回転筒後端に、前記カム溝に通じ、繰出時に前記カム溝に誘い入れる導入溝を有するものであることを特徴とする請求項１記載のカメラ。
【発明の詳細な説明】
【技術分野】
【０００１】
本発明は、複数のレンズ群で構成された撮影レンズを保持した、繰出し、沈胴自在なレンズ鏡胴を備え、その撮影レンズを経由して入射してきた被写体光を捉えることにより撮影を行なうカメラに関する。
【背景技術】
【０００２】
レンズ鏡胴を備えたカメラのレンズ鏡胴を繰出し、沈胴自在にするためには例えば外筒を回転させることにより内筒を光軸方向に前進もしくは後退させるようなカム機構が必要になる。一般的にカム機構を設ける場合には、内周にカム溝を有する回転筒を設けてその回転筒の内側にカムピンを有する内筒やカムピンを有するレンズ枠を配設したりしている。このカム機構に属するものとして、外筒の内周と内筒の外周とにヘリコイドと呼ばれる精密ネジをそれぞれ設けて螺合させるようなものもある。
【０００３】
この回転筒を用いる場合には、レンズ位置をどの程度細かく制御するかによってカム溝の傾斜角度を定め、その定めた傾斜角度のカム溝でストローク分レンズを動かすことができるだけの長さを回転筒の長さとして定めている。この回転筒の長さはできるだけ短い方が好ましいが、どうしてもストローク分の長さを確保しようとすると回転筒の長さが長くなる場合がある。
【０００４】
そこで、回転筒の長さを短くすることでレンズ鏡胴の短縮化を達成する技術が提案されている（特許文献１、２参照）。
【０００５】
特許文献１のものには、沈胴時に前群のカムピンをカム溝から外して、繰出時に常時カムピンがカム溝に嵌合している後群で前群を前方に押し出すようにしてカム溝に戻す構成が記載されているが、実際にこの記載どおりの構成を実現しようとすると後群のレンズ枠の一部が切り欠かれてその切欠部にカムピンが入り込む構造となってしまって遮光されているはずのレンズ枠から光が漏れ込んでしまうという欠点がある。
【０００６】
また、特許文献２のものでは、カム溝から外れたレンズ枠を再びカム溝に戻すために、別のカム溝で駆動される駆動部材の駆動力を用いる必要があるため、機構が複雑になって鏡胴が大型化してしまうという欠点がある。
【特許文献１】特許第３４０２３９１号公報
【特許文献２】特開２００３−２２７９８８号公報
【発明の開示】
【発明が解決しようとする課題】
【０００７】
本発明は、上記事情に鑑み、優れた遮光性を持ち、しかも小型のレンズ鏡胴を備えたカメラを提供することを目的とする。
【課題を解決するための手段】
【０００８】
上記課題を達成する本発明のカメラは、複数のレンズ群で構成された撮影レンズを保持した、繰出し、沈胴自在なレンズ鏡胴を備え、その撮影レンズを経由して入射してきた被写体光を捉えることにより撮影を行なうカメラであって、
上記レンズ鏡胴は、上記複数のレンズ群のうちの所定のレンズ群を光軸方向に移動させる、後端にまで延びたカム溝が設けられ駆動力を受けて回転する回転筒と、
上記所定のレンズ群を保持し上記カム溝に嵌入するカムピンを備えて上記回転筒の回転に応じてその所定のレンズ群を光軸方向に移動させるとともに、沈胴時に上記回転筒から後方に抜けるレンズ枠と、
沈胴時に上記レンズ枠に押されてそのレンズ群を前方に付勢し繰出時にそのレンズ群を押してそのレンズ枠のカムピンを上記カム溝に嵌入させるバネ部材とを備えたことを特徴とする。
【０００９】
上記本発明のカメラによれば、上記レンズ鏡胴が沈胴した時には上記レンズ枠が上記回転筒の後端にまで延びたカム溝から抜けて、繰出し時にはそのバネ部材によって付勢されることによりレンズ枠のカムピンが前方に押されてカム溝に嵌入される。
【００１０】
このようにすると、レンズ枠が係合する、回転筒の後端部にまで延びるカム溝と、そのレンズ枠を前方に押すバネ部材を設けるという簡単な手段でカム溝から外すとともに、カム溝に戻す構造が実現される。つまり、後端部にまで延びるカム溝を回転筒側に設けることによって、いままでのようにレンズ枠に切り欠きを設ける必要がなくなった分、優れた遮光性が確保され、さらにバネを一つ追加するという簡単な構成で小型化が実現される。
【００１１】
ここで、上記回転筒が、その回転筒後端に、上記カム溝に通じ、繰出時に上記カム溝に誘い入れる導入溝を有するものであることが好ましい。
【００１２】
そうすると、上記カムピンがカム溝の後端部から外れた後、上記カムピンがバネの付勢力を受けてカム溝に入り込もうとするときに、上記導入溝に誘導されてスムーズにカム溝に入り込む。例えば、その導入溝は上記カム溝に向かって幅が段々と狭まっていくような溝を構成することで容易に実現される。
【発明の効果】
【００１３】
以上、説明したように、優れた遮光性を持ち、しかも小型のレンズ鏡胴を備えたカメラが実現される。
【発明を実施するための最良の形態】
【００１４】
以下、本発明の実施の形態について説明する。
【００１５】
本発明の一実施形態であるカメラを例に挙げて説明する。
【００１６】
図１はそのカメラを正面斜め上から見た外観斜視図である。
【００１７】
このカメラ１０は、アドバンスドフォトシステム（ＡＰＳ）と称される写真システムを構成する比較的小型なカメラであり、このカメラ１０では、ＡＰＳ専用の光密性のフイルムカートリッジが使用される。このカメラ１０は、前カバー１０ａと後カバー１０ｂを有し、前面中央部には繰出し、沈胴自在なレンズ鏡胴３１が備えられている。
【００１８】
また、このカメラ１０の上面には、回動操作を受けて電源をオン，オフする電源ダイヤル１１が配備されている。この図１では、電源ダイヤル１１は、カメラ１０の正面から見て左方向に回動操作された状態にあり、この状態ではカメラ１０の電源はオンされている。ここで、電源ダイヤル１１を、カメラ１０の正面から見て右方向に回動操作すると、カメラ１０の電源がオン状態からオフ状態に移行する。
【００１９】
また、このカメラ１０には、電源ダイヤル１１により周囲を囲まれるとともにその電源ダイヤル１１の回動中心よりもカメラ１０の前方に寄った位置に配備され、上記電源ダイヤル１１の回動に伴ってその電源ダイヤル１１の回動中心を中心に回動するシャッタ釦１２が備えられている。
【００２０】
さらに、このカメラ１０には、上下に延びた略円筒状のグリップ部１３が備えられている。このグリップ部１３の内部には、フイルムカートリッジが装填されるカートリッジ室１００が設けられている。
【００２１】
また、上述した電源ダイヤル１１は、グリップ部１３の上面に配備されており、この電源ダイヤル１１は、グリップ部１３の円筒形外縁よりも突出した、その電源ダイヤル１１を回動操作するための操作突起１１ａを有する。さらに、グリップ部１３の下面には、カートリッジ室１００を開閉するカートリッジ蓋が備えられている。
【００２２】
また、このカメラ１０の正面上部には、ファインダ対物窓１５、アクティブオートフォーカス（ＡＦ）用のＡＦ投光窓１６、ＡＦ受光窓１７、およびフラッシュ発光部１８が配置されている。さらに、カメラ１０の正面下部には、被写体の明るさ測定用のＡＥ受光窓１９およびセルフタイマ撮影時に光を発する発光素子が内蔵されたセルフ窓２０が配置されている。
【００２３】
また、カメラ１０には、前述したカートリッジ蓋を開くための操作つまみ２１が備えられている。ユーザは、操作つまみ２１を操作してカートリッジ蓋を開け、フイルムカートリッジをカートリッジ室１００に装填し、装填後カートリッジ蓋を閉じるという操作を行なう。
【００２４】
図２は、図１のカメラを、背面斜め上から見た外観斜視図である。
【００２５】
このカメラ１０の背面には、ファインダ接眼窓２２が備えられている。また、このファインダ接眼窓２２の右側には、Ｃ（コンベンショナル），Ｈ（ハイビジョン）の２タイプのプリント枠に切り替えるためのプリントタイプ切替つまみ２３が備えられている。さらに、ファインダ接眼窓２２の下側には、必要な情報（撮影モード、フイルムカウンタ等）を表示する液晶表示部２４が備えられている。また、カメラ１０背面の右上には、電源ダイヤル１１が電源オフの位置にあることを示す文字「ＯＦＦ」と、電源ダイヤル１１が電源オンの位置にあることを示す文字「ＯＮ」とが印刷されている。
【００２６】
また、シャッタ釦１２の下方に撮影時に焦点距離の切替を行なうスイッチ２５が配備されている。このカメラは焦点距離の切替を３段階で行なうことができるものであり、一段目が符号ｚ１で、２段目が符号ｚ２、３段目が符号ｚ３でそれぞれ示されている。この焦点距離の３段切替機構については後述する。
【００２７】
図３，図４は、図１〜図２に示すカメラに組み込まれたレンズ鏡胴を光軸に沿って切断してその切断面を正面から見た図である。図５は、図３、図４に示す回転筒の内面に設けられたカム溝の展開図である。
【００２８】
図３には望遠（以下ＴＥＬＥという）のときのレンズ配置が、図４には広角（ＷＩＤＥという）のときのレンズ配置がそれぞれ示されている。また、図５には、回転筒３１２の内周に設けられているカム溝を平面的に展開した図が示されている。図５に示すカム溝３１２１とカム溝３１２２を横切る線を引くと、その線とカム溝３１２１、その線とカム溝３１２２のそれぞれの交点に前群のレンズ４１０と後群のレンズ４２０とがそれぞれ配置される。図中の符号ｚ１，ｚ２、ｚ３はスイッチ２５の切替位置にそれぞれ対応するものであって、符号ｚ１の切替位置にスイッチが切り替えられると符号ｚ１で示す部分にある線とカム溝３１２１とカム溝３１２２とが交わる位置に前群レンズと後群レンズとが配置される（ＷＩＤＥ）。また、符号ｚ２の切替位置にスイッチが切り替えられると符号ｚ２で示す部分にある線とカム溝３１２１とカム溝３１２２とが交わる位置に前群レンズと後群レンズとが配置される。さらに、符号ｚ３の切替位置にスイッチが切り替えられると符号ｚ３で示す部分にある線とカム溝３１２１とカム溝３１２２とが交わる位置に前群レンズと後群レンズとが配置される（ＴＥＬＥ）。なお、このカメラは遠近の２つのいずれかにピントを合わせることができる２点ＡＦカメラであるため、符号ｚ１、ｚ２、ｚ３で示す各領域それぞれに、その遠近のピント位置に応じてレンズ配置を定める階段状の溝（符号Ｆａｒ、符号Ｎｅａｒ）が形成されている。
【００２９】
図３、図４に示すレンズ鏡胴３１は、前群筒３１０とレンズ枠３１１と回転筒３１２とを備えたものであり、電源ダイヤルの回転操作により電源が投入されると、図３、図４に示すように回転筒３１２が所定の角度回転することにより前群筒３１０が大きく繰出される。このとき、図１のスイッチ２５の切替位置によって符号ｚ３であればＴＥＬＥのレンズ配置（図３、図５参照）に、符号ｚ２であればＴＥＬＥとＷＩＤＥの間のレンズ配置（図５参照）、符号ｚ１であればＷＩＤＥのレンズ配置になる（図４、図５参照）。
【００３０】
またレンズ枠３１１にはシャッタユニット３１１１が連結されており、シャッタ釦１２が押されたらそのシャッタユニット３１１１が駆動されてシャッタ３１１２が開放される。この実施形態ではカメラ本体側のＣＰＵからの指示がフレキシブル基板ＦＰＣを通ってシャッタユニット３１１に転送されてシャッタユニット３１１によりシャッタ３１１２が駆動される。
【００３１】
図３と図４と図５を参照してレンズ鏡胴３１の構成を詳細に説明する
前述したようにこのレンズ鏡胴３１は、前群筒３１０とレンズ枠３１１と回転筒３１２とを備えたものであって、その前群筒３１０には前群レンズ４１０が保持されレンズ枠３１１には後群レンズ４２０が保持されている。その前群筒３１０に保持された前群レンズ４１０やレンズ枠３１１に保持された後群レンズ４２０が回転筒３１２の回転に応じて光軸方向に移動する。ここでは直進キー３１３をレンズ枠３１１に嵌め込んでレンズ枠３１１の回転止めをして光軸方向に移動させるようにしてあり、さらにそのレンズ枠３１１を前群筒３１０に係合させ前群筒３１０も回転止めをして光軸方向に移動させるようにしている。
【００３２】
また前群レンズ４１０を光軸方向に移動させるにあたって、前群筒３１０の外周にカムピン３１０１を設けて、そのカムピン３１０１を回転筒３１２の内周に設けたカム溝３１２１（図５参照）に係合させている。また、後群レンズ４１０を光軸方向に移動させるにあたって、レンズ枠３１１の外周にカムピン（不図示）を設けて、そのカムピンを回転筒３１２の内周に設けたカム溝３１２２（図５参照）に係合させている。この後群レンズ４２０をレンズ枠３１１ともども光軸方向に移動させるカム溝３１２２が、本発明にいう回転筒の後端にまで延びたものであって、沈胴時にはレンズ枠３１１のカムピンがこの回転筒３１２の後端（図５符号Ｐで示す部分）から抜ける構成になっている。
【００３３】
なお、この例では前群筒３１０、レンズ枠３１１とも３点支持の支持構成になっていてカムピン、カム溝ともに３つづつ設けられているが、図３、４には前群筒３１０に設けてある３本のカムピンのうちの一本のカムピン３１０１のみが示されている。図５の展開図も同様であって図５の展開図には前群筒３１０が有する３本のカムピンそれぞれが係合するそれぞれのカム溝３本のうちの一本のカム溝３１２１が示されており、レンズ枠３１１が有する３本のカムピンそれぞれが係合するそれぞれのカム溝３本のうちの一本のカム溝３１２２が示されている。なお、カム溝３１２１の後端側の部分Ｍには、レンズバリアを開放するため、前群レンズが光軸方向に移動しないような溝が形成されている。
【００３４】
また、図３、図４に示すように回転筒３１２の外周には、ＣＰＵ側から延びている３つの接点３１４ａ，３１４ｂ，３１４ｃで異なる信号パターンが検出されるように後述するエンコーダパターンが形成されており、この３つの接点３１４ａ，３１４ｂ，３１４ｃで検出された信号がエンコーダ信号としてＣＰＵに入力されＣＰＵにより回転筒の回転制御が行なわれる。このエンコーダパターンによる回転筒の回転制御については後述する。
【００３５】
ここで、カメラ本体側からレンズ鏡胴を見た図を示して、回転筒３１２の後端から抜けたレンズ枠３１１がこのレンズ鏡胴の中でどのように保持されるか、またレンズ枠３１１のカムピン３１１３がどのようにカム溝３１２２に嵌入されるかを説明する。
【００３６】
図６は図４のＡＡ´矢視図であり、図７はレンズ鏡胴を基端部側から見た図であり、図８は、図７で示す図と同様の図であり、レンズ枠３１１のカムピン３１１３がカム溝３１２２に戻ろうとする時の状態を示した図である。この図６のＢＢ´を切断して矢印の方向から見た図が図４に対応する。
【００３７】
図６に示すように、レンズ枠３１１を回転させずに光軸方向に移動させるために直進キー３１３がレンズ枠３１１に係合し、さらにそのレンズ枠３１１が前群筒３１０に係合している。この直進キー３１１はレンズ鏡胴の基端部から光軸方向に延びて配設されており（図３、図４参照）、レンズ鏡胴が沈胴してレンズ枠３１１が回転筒３１２の後端部から抜けた後も係合したままになっている。このようにレンズ枠３１１が回転筒３１２の後端部から抜けた後もそのレンズ枠３１１が直進キー３１３に保持されている状態にあるときに、図５に示すカム溝３１２１に沿って前群筒３１０が後退してくると、その前群筒３１０に後群のレンズ枠３１１が押されてレンズ鏡胴内にレンズ枠が図５中点線で示す部分まで後退する。このレンズ枠が後退する部分に図７、図８に示すバネ部材が設けられている。このため、沈胴時にバネ部材３０１がレンズ枠３１１に押されてそのバネ部材３０１にバネ力がチャージされ前群筒３１０およびレンズ枠３１１が鏡胴内にコンパクトに収容される。
【００３８】
この沈胴状態にあるときに電源ダイヤルが操作され電源が投入されると、ＣＰＵからの指示に基づいて回転筒３１２が回転して前群筒３１０が繰り出され始める。そうすると、バネ部材３０１にチャージされていた圧縮力が反発力となって光軸前方にレンズ枠３１１が付勢されるようになる。図８に示すように回転筒３１２の後端部側にはカム溝３１２２に通じ、繰出時にカム溝３１２２にカムピン３１１３を誘い入れる導入溝３１２２ａ（図５参照）が設けられているため、バネ部材３０１の反発力により付勢されたレンズ枠３１１がその導入口３１２２ａに誘われるように入り込み、カムピン３１１３がカム溝３１２２に嵌入される。さらに回転筒が回転して前群筒３１０が繰出されレンズ枠３１１もともに前方に繰り出される。なお、図７には回転筒を駆動するモータ３５０が図示されている。
【００３９】
このようにしておくと、沈胴時にはカム溝３１２２から抜けたレンズ枠３１１が前群筒３１０に押されてコンパクトに収容され、繰出されるときには、カム溝３１２２から抜けたカムピン３１１３が前群筒３１０の繰出し動作にしたがってバネ部材の反発力により導入溝３１２２ａを介してカム溝に嵌入されレンズ枠３１１がカム溝３１２２に沿って移動するようになってレンズ枠が所定の位置に配置される。
【００４０】
以上説明したように、バネ部材を追加するという簡単な構成で、いままでのように複雑な機構を設ける必要がないことから小型のレンズが実現される。またレンズ枠に切り欠きを設ける必要もないことから優れた遮光性が得られる。
【００４１】
最後に、図９を参照して前述したエンコーダパターンがどのようなものであるかを示し、そのエンコーダパターン３１２３によって回転筒３１２の回転がどのように制御されるかを説明する。
【００４２】
図９は、回転筒３１２を回転させるモータ３５０とそのモータ３５０を制御するＣＰＵ３００との関係を示す図である。
【００４３】
図１，２に示す電源ダイヤルが操作されて電源が投入されたら、ＣＰＵ３００からドライバＩＣ３１０に指示が出されドライバＩＣ３１０からモータ３５０に駆動指示が供給される。そのモータは駆動指示を受けて回転してその回転により回転筒３１２が回転する。そうすると、カム溝３１２１に沿って前群筒３１０が移動し始め、その後レンズ枠３１１がカム溝３１２２に入り込みレンズ枠３１１も移動し始めてワイド状態になってレンズ鏡同が繰出される。この繰出時および沈胴時の回転筒３１２の回転角度を回転筒３１２の外周に設けたエンコーダパターン３１２３により検出している。
【００４４】
図９に示すそのエンコーダパターン３１２３は、回転筒３１２の外周に銅箔を貼付したものでって、図３、４で説明した３つの接点３１４ａ，３１４ｂ，３１４ｃがその銅箔にそれぞれ接触するかしないかによってＣＰＵ３００が回転筒３１２の回転角度を検出する構成になっている。以降の説明においては、図中真ん中の接点３１４ｂをＣＯＭ接点と記載し、左側の接点３１４ａをＡ接点、右側の接点３１４ｃをＢ接点と記載する。例えばＣＰＵ３００側から延びているＣＯＭ接点３１４ｂをグランドにしておくと銅箔全体がグランドレベルになって３本の接点がすべて銅箔に接触しているときにはＡ接点３１４ａ，Ｂ接点３１４ｃがグランドレベルになる。この例では、Ａ接点３１４ａ，Ｂ接点３１４ｃがグランドレベルになっていることをＣＰＵ３００が検出したらＣＰＵ３００は回転筒３１２が沈胴状態にあると判定して、その状態を回転の開始点として次にＡ接点３１４ａおよびＢ接点３１４ｃがグランドレベルではなくなったことをＣＰＵ３００が検出したら、ＣＰＵ３００はそれがワイド位置に対応するものであると判定して、その後でＡ接点３１４ａがグランドレベルになったということをＣＰＵ３００が検出したときにＣＰＵはそれがＴＥＬＥとＷＩＤＥの中間位置に対応するものであると判定して、といったようにＣＰＵ３００は回転筒の回転角度を順次検出するようにしている。
【００４５】
このようにして時間の経過とともに異なる信号がＣＰＵ３００により検出されるようにエンコーダパターン３１２３が回転筒３１２の外周に形成されているので、回転筒３１２の回転によってレンズ群がどの位置にあるかがＣＰＵ３００によりすぐに判定されて、モータ３５０に適切な指示が与えられて回転筒３１２の回転角度が精度良く制御される。
【００４６】
上述のようにしてｚ１〜ｚ３のいずれかの焦点距離が選択された後にシャッタ釦が押されるとＡＦが作動する。ＣＰＵ３００はその測距結果に応じて符号ＦＡＲあるいは符号ＮＥＡＲの位置に後群レンズ４２０がセットされるように、Ｂ接点３１４ｃの信号を用いて回転筒３１２の回転位置を検出しながら所定の位置に停止させる。
【００４７】
このとき符号Ｆａｒあるいは符号Ｎｅａｒの位置ではカム溝が傾斜していないため、回転筒の停止精度は従来のズームカメラほどの非常に高い精度は不要である。従って、従来用いられていたモータの回転数を検出するパルスエンコーダのよう検出装置を併用せずとも、上述のような接触式のエンコーダのみで充分に制御可能となっている
以上説明したように回転筒の後端部にまで至るカム溝を設け、さらにそのカム溝に戻すための付勢を行なうバネ部材を設けるという簡単な構成で、いままのようにレンズ枠に切り欠きを設けるであるとか、カム溝に戻すためのカム機構を設ける必要がなくなり、優れた遮光性を持つ、小型のレンズ鏡胴が実現される。
【図面の簡単な説明】
【００４８】
【図１】カメラを正面斜め上から見た外観斜視図である。
【図２】図１のカメラを、背面斜め上から見た外観斜視図である。
【図３】図１〜図２に示すカメラに組み込まれたレンズ鏡胴の、光軸に沿う断面図である。
【図４】図１〜図２に示すカメラに組み込まれたレンズ鏡胴の、光軸に沿う断面図である。
【図５】図３、図４に示す回転筒の内面に設けられたカム溝の展開図である。
【図６】図４のＡＡ´矢視図である。
【図７】レンズ鏡胴を基端部側から見た図である。
【図８】レンズ鏡胴が繰り出そうとする時の状態をレンズ鏡胴基端部側から見た図である。
【図９】回転筒を回転させるモータとそのモータを制御するＣＰＵとの関係を示す図である。
【符号の説明】
【００４９】
１０    カメラ
１０ａ    前カバー
１０ｂ    後カバー
１１    電源ダイヤル
１１ａ    操作突起
１１ｂ    嵌合突起
１２    シャッタ釦
１３    グリップ部
１５    ファインダ対物窓
１６    ＡＦ投光窓
１７    ＡＦ受光窓
１８    フラッシュ発光部
１９    ＡＥ受光窓
２０    セルフ窓
２１    開閉操作つまみ
２２    ファインダ接眼窓
２３    プリントタイプ切替つまみ
２４    液晶表示部
３１    レンズ鏡胴
３１０    前群筒
３１０１    カムピン
３１１    レンズ枠
３１１１    シャッタユニット
３１１２    シャッタ
３１１３    カムピン
３１２    回転筒
３１２１    ３１２２  カム溝
３１３    直進キー
３１４ａ  ３１４ｂ  ３１４ｃ    接触ピン
４１０    前群
４２０    後群
【図１】
2005250293.tif 000003
【図２】
2005250293.tif 000004
【図３】
2005250293.tif 000005
【図４】
2005250293.tif 000006
【図５】
2005250293.tif 000007
【図６】
2005250293.tif 000008
【図７】
2005250293.tif 000009
【図８】
2005250293.tif 000010
【図９】
2005250293.tif 000011